(57)【要約】【課題】ユーザが用意した画像を用いたカラオケコンテンツを作成し、他者へ公開できる装置およびシステムを提供すること。【解決手段】カラオケコンテンツ作成装置１０は、画像データの入力を受け付け、カラオケの伴奏データおよび歌詞データを含み、予め記憶された楽曲データの中から、一の選択を受け付け、画像データと選択された楽曲データとを合成し、この画像データを背景としたカラオケ用のコンテンツデータを生成し、生成されたコンテンツデータを、複数の端末装置からアクセス可能なストレージサーバ３０に送信する。【選択図】図４
2009216876.tif 000002
【特許請求の範囲】
【請求項１】
画像データの入力を受け付ける画像入力手段と、
カラオケの伴奏データおよび歌詞データを含み、予め記憶された楽曲データの中から、一の選択を受け付ける選択手段と、
前記画像入力手段により受け付けられた画像データと前記選択手段により選択された楽曲データとを合成し、当該画像データを背景としたカラオケ用のコンテンツデータを生成する合成手段と、
前記合成手段により生成されたコンテンツデータを、複数の端末装置からアクセス可能なサーバに送信する送信手段と、を備えるカラオケコンテンツ作成装置。
【請求項２】
前記合成手段により生成されたコンテンツデータを、所定の記録メディアに記録する記録手段を更に備える請求項１に記載のカラオケコンテンツ作成装置。
【請求項３】
前記選択手段により選択された楽曲データを、ネットワークを介して受信する受信手段を更に備える請求項１または請求項２に記載のカラオケコンテンツ作成装置。
【請求項４】
前記送信手段により送信されたコンテンツデータにアクセス可能な公開ユーザを指定するデータを、前記サーバに送信する公開ユーザ指定手段を更に備える請求項１から請求項３のいずれかに記載のカラオケコンテンツ作成装置。
【請求項５】
前記画像入力手段により受け付けた画像データによる前記コンテンツデータの背景としての演出スタイルの指定を受け付ける演出指定手段と、
前記演出指定手段により受け付けた演出スタイルに応じて、当該画像データを加工する画像加工手段と、を更に備える請求項１から請求項４のいずれかに記載のカラオケコンテンツ作成装置。
【請求項６】
カラオケ用のコンテンツデータを作成するカラオケコンテンツ作成装置と、
前記カラオケコンテンツ作成装置により作成されたコンテンツデータを記憶するサーバと、
前記サーバに記憶されたコンテンツデータを受信し、当該コンテンツデータを再生するカラオケ端末装置と、を備えたカラオケシステムであって、
前記カラオケコンテンツ作成装置は、
画像データの入力を受け付ける画像入力手段と、
カラオケの伴奏データおよび歌詞データを含み、予め記憶された楽曲データの中から、一の選択を受け付ける選択手段と、
前記画像入力手段により受け付けられた画像データと前記選択手段により選択された楽曲データとを合成し、当該画像データを背景としたカラオケ用のコンテンツデータを生成する合成手段と、
前記合成手段により生成されたコンテンツデータを前記サーバに送信する送信手段と、を備え、
前記サーバは、
前記カラオケコンテンツ作成装置から受信した前記コンテンツデータを記憶する記憶手段と、
前記記憶手段によりコンテンツデータを記憶したことに応じて、当該コンテンツデータの識別データを所定の通知先へ通知する通知手段と、
前記カラオケ端末装置から前記識別データを受信したことに応じて、当該識別データに対応して記憶された前記コンテンツデータを、当該カラオケ端末装置に配信する配信手段と、を備え、
前記カラオケ端末装置は、
前記通知手段により通知された識別データが入力されたことに応じて、当該識別データを送信することにより前記サーバに前記コンテンツデータを要求する要求手段を備えるカラオケシステム。
【請求項７】
前記サーバにおいて、
前記通知手段は、前記識別データと共に、前記記憶手段により記憶されたコンテンツデータにアクセスするためのパスワードを更に通知し、
前記カラオケ端末装置から、前記識別データと共に前記パスワードを受信したことに応じて、前記コンテンツデータへのアクセスを認証する認証手段を更に備える請求項６に記載のカラオケシステム。
【請求項８】
前記カラオケコンテンツ作成装置は、前記送信手段により送信されたコンテンツデータにアクセス可能な公開ユーザを指定するデータを、前記サーバに送信する公開ユーザ指定手段を更に備え、
前記サーバは、前記公開ユーザ指定手段により送信された前記公開ユーザを指定するデータに基づいて、前記カラオケ端末装置のユーザを認証する認証手段を更に備え、
前記配信手段は、前記公開ユーザ指定手段により指定されていないユーザからのアクセスであると前記認証手段により判断された場合には、前記コンテンツデータを配信しないことを特徴とする請求項６に記載のカラオケシステム。
【請求項９】
前記通知手段は、電子メールにて前記識別データを通知することを特徴とする請求項６から請求項８のいずれかに記載のカラオケシステム。
【請求項１０】
コンピュータにカラオケコンテンツを作成させるプログラムであって、
画像データの入力を受け付ける画像入力ステップと、
カラオケの伴奏データおよび歌詞データを含み、予め記憶された楽曲データの中から、一の選択を受け付ける選択ステップと、
前記画像入力ステップにより受け付けられた画像データと前記選択ステップにより選択された楽曲データとを合成し、当該画像データを背景としたカラオケ用のコンテンツデータを生成する合成ステップと、
前記合成ステップにより生成されたコンテンツデータを、複数の端末装置からアクセス可能なサーバに送信する送信ステップと、を実行させるプログラム。
【発明の詳細な説明】
【技術分野】
【０００１】
本発明は、カラオケコンテンツ作成装置、カラオケシステム、およびプログラムに関する。
【背景技術】
【０００２】
従来、カラオケルーム等で利用されるカラオケの映像および音声を含むカラオケコンテンツは、光ディスク等のメディアやネットワークを介したダウンロード形式等で提供される。このようなカラオケコンテンツは、メーカにより予め作成されたものであるため、利用者によらず画一的な映像および音声となっている。
【０００３】
ところで、近年のデジタルカメラの高性能化とその普及により、デジタルデータとして写真画像や動画像を保存するようになっている。これらのデジタルデータは、ネットワークを介して送受信可能であるため、撮影した画像を容易に他者へ公開することができる。
【０００４】
このような状況において、カラオケの背景画像として、本来表示されるべき映像情報に代えて、ユーザが用意した画像を合成するシステムが提案されており（例えば、特許文献１参照）、ユーザ自身が撮影した写真等の画像を広く他者に公開することが示されている。
【特許文献１】特開２００６−３８４３号公報
【発明の開示】
【発明が解決しようとする課題】
【０００５】
しかしながら、特許文献１のシステムでは、カラオケ曲の再生時に画像データを合成して表示させるため、専用のカラオケ装置を備えた場でなければ、合成画像によるカラオケを楽しむことができない。したがって、カラオケルーム等の限られた場所でのみ画像が表示され、公開される範囲が限定されていた。
【０００６】
また、カラオケ曲の再生時に画像データが合成されるため、画像の表示演出や加工等を行うことは難しい。したがって、ユーザが望む背景画像によるカラオケデータが生成されない可能性が高かった。したがって、ユーザが用意した画像を公開することができるものの、カラオケコンテンツという作品として他者へ公開することが十分にできなかった。
【０００７】
そこで本発明は、ユーザが用意した画像を用いたカラオケコンテンツを作成し、他者へ公開できる装置およびシステムを提供することを目的とする。
【課題を解決するための手段】
【０００８】
本発明では、以下のような解決手段を提供する。
【０００９】
（１）  画像データの入力を受け付ける画像入力手段と、
カラオケの伴奏データおよび歌詞データを含み、予め記憶された楽曲データの中から、一の選択を受け付ける選択手段と、
前記画像入力手段により受け付けられた画像データと前記選択手段により選択された楽曲データとを合成し、当該画像データを背景としたカラオケ用のコンテンツデータを生成する合成手段と、
前記合成手段により生成されたコンテンツデータを、複数の端末装置からアクセス可能なサーバに送信する送信手段と、を備えるカラオケコンテンツ作成装置。
【００１０】
このような構成によれば、当該カラオケコンテンツ作成装置は、画像データの入力を受け付け、カラオケの伴奏データおよび歌詞データを含み、予め記憶された楽曲データの中から、一の選択を受け付け、画像データと選択された楽曲データとを合成し、この画像データを背景としたカラオケ用のコンテンツデータを生成し、生成されたコンテンツデータを、複数の端末装置からアクセス可能なサーバに送信する。
【００１１】
このことにより、当該カラオケコンテンツ作成装置は、ユーザが用意した画像データと、選択された楽曲データとを合成することにより、ユーザ独自のカラオケ用のコンテンツデータを自動的に作成することができる。また、ユーザは、画像データの入力と楽曲データの選択という容易な手順により、コンテンツデータを簡便に自作することができる。
【００１２】
更に、当該カラオケコンテンツ作成装置は、コンテンツデータを複数の端末装置からアクセス可能なサーバに送信して公開することができるため、ユーザは、コンテンツデータを再生可能な端末装置からアクセスすることにより、特定の場所に限らず広く公開し、カラオケを楽しむことができる。
【００１３】
（２）  前記合成手段により生成されたコンテンツデータを、所定の記録メディアに記録する記録手段を更に備える（１）に記載のカラオケコンテンツ作成装置。
【００１４】
このような構成によれば、当該カラオケコンテンツ作成装置は、ＣＤやＤＶＤ等の記録メディアに記録することができる。したがって、ユーザは、コンテンツデータをダウンロードする必要がないため、ネットワークに接続できない再生装置においても、作成したカラオケコンテンツを楽しむことができる。
【００１５】
（３）  前記選択手段により選択された楽曲データを、ネットワークを介して受信する受信手段を更に備える（１）または（２）に記載のカラオケコンテンツ作成装置。
【００１６】
このような構成によれば、当該カラオケコンテンツ作成装置は、楽曲データを、ネットワークを介して他の記憶媒体から受信することができる。したがって、当該カラオケコンテンツ作成装置に楽曲データを予め記憶する必要がなく、また、複数のカラオケコンテンツ作成装置で同等のサービスを提供することができる。
【００１７】
更に、楽曲データを記憶するサーバを維持管理することにより、カラオケコンテンツ作成装置に提供可能な楽曲データの追加、更新や削除等ができるため、ユーザへ容易に最新のデータを提供できる可能性がある。
【００１８】
（４）  前記送信手段により送信されたコンテンツデータにアクセス可能な公開ユーザを指定するデータを、前記サーバに送信する公開ユーザ指定手段を更に備える（１）から（３）のいずれかに記載のカラオケコンテンツ作成装置。
【００１９】
このような構成によれば、当該カラオケコンテンツ作成装置は、コンテンツデータにアクセス可能な公開ユーザを指定することができる。これにより、例えば、コンテンツ作成者のみ／指定グループに属するユーザのみ／全ユーザ等、作成したコンテンツデータをダウンロードして再生できるユーザを指定し、公開したくないユーザからのアクセスを抑制することができる。
【００２０】
（５）  前記画像入力手段により受け付けた画像データによる前記コンテンツデータの背景としての演出スタイルの指定を受け付ける演出指定手段と、
前記演出指定手段により受け付けた演出スタイルに応じて、当該画像データを加工する画像加工手段と、を更に備える（１）から（４）のいずれかに記載のカラオケコンテンツ作成装置。
【００２１】
このような構成によれば、当該カラオケコンテンツ作成装置は、画像データによるコンテンツデータの背景としての演出スタイルの指定を受け付け、この演出スタイルに応じて、画像データを加工する。
【００２２】
このことにより、当該カラオケコンテンツ作成装置は、カラオケコンテンツの背景として、演出のスタイルをユーザに選択させ、画像データを加工することができる。よって、ユーザは、画像データの拡大、縮小、移動や色調調整等の加工処理を、予め設定されたスタイルから選択することにより、容易に行うことができ、演出効果の高いカラオケコンテンツを簡便に作成することができる。
【００２３】
（６）  カラオケ用のコンテンツデータを作成するカラオケコンテンツ作成装置と、
前記カラオケコンテンツ作成装置により作成されたコンテンツデータを記憶するサーバと、
前記サーバに記憶されたコンテンツデータを受信し、当該コンテンツデータを再生するカラオケ端末装置と、を備えたカラオケシステムであって、
前記カラオケコンテンツ作成装置は、
画像データの入力を受け付ける画像入力手段と、
カラオケの伴奏データおよび歌詞データを含み、予め記憶された楽曲データの中から、一の選択を受け付ける選択手段と、
前記画像入力手段により受け付けられた画像データと前記選択手段により選択された楽曲データとを合成し、当該画像データを背景としたカラオケ用のコンテンツデータを生成する合成手段と、
前記合成手段により生成されたコンテンツデータを前記サーバに送信する送信手段と、を備え、
前記サーバは、
前記カラオケコンテンツ作成装置から受信した前記コンテンツデータを記憶する記憶手段と、
前記記憶手段によりコンテンツデータを記憶したことに応じて、当該コンテンツデータの識別データを所定の通知先へ通知する通知手段と、
前記カラオケ端末装置から前記識別データを受信したことに応じて、当該識別データに対応して記憶された前記コンテンツデータを、当該カラオケ端末装置に配信する配信手段と、を備え、
前記カラオケ端末装置は、
前記通知手段により通知された識別データが入力されたことに応じて、当該識別データを送信することにより前記サーバに前記コンテンツデータを要求する要求手段を備えるカラオケシステム。
【００２４】
このような構成によれば、当該カラオケシステムを運用することにより、サーバは、カラオケコンテンツ作成装置が作成したコンテンツデータを記憶し、このコンテンツデータを記憶したことに応じて、当該コンテンツデータの識別データを所定の通知先へ通知する。そして、カラオケ端末装置が、通知された識別データが入力されたことに応じて、当該識別データを送信することによりサーバにコンテンツデータを要求すると、サーバは、カラオケ端末装置から識別データを受信したことに応じて、当該識別データに対応して記憶されたコンテンツデータを、当該カラオケ端末装置に配信する。
【００２５】
このことにより、当該カラオケシステムは、カラオケコンテンツ作成装置において作成されたカラオケのコンテンツデータをサーバに蓄積することができる。そして、アクセス先をコンテンツデータの識別データとして通知するため、ユーザは、カラオケ端末装置に識別データを入力することにより、対応するコンテンツデータをダウンロードして再生することができ、（１）と同様の効果が期待できる。
【００２６】
（７）  前記サーバにおいて、
前記通知手段は、前記識別データと共に、前記記憶手段により記憶されたコンテンツデータにアクセスするためのパスワードを更に通知し、
前記カラオケ端末装置から、前記識別データと共に前記パスワードを受信したことに応じて、前記コンテンツデータへのアクセスを認証する認証手段を更に備える（６）に記載のカラオケシステム。
【００２７】
このような構成によれば、当該カラオケシステムを運用することにより、サーバは、コンテンツデータの識別データと共に、このコンテンツデータにアクセスするためのパスワードを更に通知し、カラオケ端末装置から、識別データと共にこのパスワードを受信したことに応じて、コンテンツデータへのアクセスを認証する。
【００２８】
このことにより、当該カラオケシステムは、記憶されたコンテンツデータをパスワードにより認証するので、このパスワードを知らないユーザからのアクセスを抑制することができる。また、コンテンツを公開したいユーザに対してパスワードを知らせることにより、容易に他者へ公開することができる。
【００２９】
（８）  前記カラオケコンテンツ作成装置は、前記送信手段により送信されたコンテンツデータにアクセス可能な公開ユーザを指定するデータを、前記サーバに送信する公開ユーザ指定手段を更に備え、
前記サーバは、前記公開ユーザ指定手段により送信された前記公開ユーザを指定するデータに基づいて、前記カラオケ端末装置のユーザを認証する認証手段を更に備え、
前記配信手段は、前記公開ユーザ指定手段により指定されていないユーザからのアクセスであると前記認証手段により判断された場合には、前記コンテンツデータを配信しないことを特徴とする（６）に記載のカラオケシステム。
【００３０】
このような構成によれば、当該カラオケシステムにおいて、カラオケコンテンツ作成装置は、コンテンツデータにアクセス可能な公開ユーザを指定するデータをサーバに送信し、サーバは、この公開ユーザを指定するデータに基づいて、カラオケ端末装置のユーザを認証する。このとき、公開ユーザとして指定されていないユーザからのアクセスであると判断された場合には、コンテンツデータを配信しない。
【００３１】
このことにより、当該カラオケシステムは、作成されたカラオケのコンテンツデータを、指定するユーザのみに対して公開し、その他のユーザからのアクセスを抑制することができるため、（４）と同様の効果が期待できる。
【００３２】
（９）  前記通知手段は、電子メールにて前記識別データを通知することを特徴とする（６）から（８）のいずれかに記載のカラオケシステム。
【００３３】
このような構成によれば、当該カラオケシステムは、ユーザに対して、電子メールにて、記憶されたコンテンツデータの識別データを通知する。このことにより、ユーザは、コンテンツデータが利用可能になったことを電子メールにて即座に知ることができ、更に、携帯電話機等の携帯端末の電子メール機能を利用することにより、この効果が高まる。
【００３４】
（１０）  コンピュータにカラオケコンテンツを作成させるプログラムであって、
画像データの入力を受け付ける画像入力ステップと、
カラオケの伴奏データおよび歌詞データを含み、予め記憶された楽曲データの中から、一の選択を受け付ける選択ステップと、
前記画像入力ステップにより受け付けられた画像データと前記選択ステップにより選択された楽曲データとを合成し、当該画像データを背景としたカラオケ用のコンテンツデータを生成する合成ステップと、
前記合成ステップにより生成されたコンテンツデータを、複数の端末装置からアクセス可能なサーバに送信する送信ステップと、を実行させるプログラム。
【００３５】
このような構成によれば、当該プログラムを実行させることにより、（１）と同様の効果が期待できる。
【発明の効果】
【００３６】
本発明によれば、ユーザが用意した画像を用いたカラオケコンテンツを作成し、他者へ公開することができる。
【発明を実施するための最良の形態】
【００３７】
以下、本発明の実施形態について図を参照しながら説明する。
【００３８】
［システム構成］
図１は、本発明の実施形態に係るカラオケシステム１ａの構成を示す図である。カラオケボックスや写真店等の店舗に設置されたカラオケコンテンツ作成装置１０は、楽曲配信サーバ２０およびストレージサーバ３０とネットワークを介して接続されている。また、カラオケ端末装置４０は、ストレージサーバ３０にアクセス可能である。
【００３９】
なお、これらカラオケコンテンツ作成装置１０と、楽曲配信サーバ２０と、ストレージサーバ３０と、カラオケ端末装置４０とは、インターネットに接続されていることが好ましい。これにより、新たなカラオケコンテンツ作成装置１０やカラオケ端末装置４０を容易に設置することができ、システムの利用が促進される。
【００４０】
カラオケコンテンツ作成装置１０は、楽曲配信サーバ２０から、ユーザの希望曲をダウンロードし、カラオケコンテンツを作成した後、作成したコンテンツデータをストレージサーバ３０にアップロードする。
【００４１】
ここで、楽曲配信サーバ２０は、カラオケ用の楽曲データとして、カラオケ音源と歌詞の色変わり映像とを記憶している。カラオケコンテンツ作成装置１０のユーザは、複数の楽曲データの中から希望の曲を選択し、ダウンロードする。そして、カラオケコンテンツ作成装置１０は、ユーザから静止画や動画の画像データの入力を受け付け、ダウンロードした楽曲データと合成し、カラオケ用のコンテンツデータを作成する。
【００４２】
このとき、ユーザから入力された画像データは、カラオケコンテンツの背景画像となる。カラオケコンテンツ作成装置１０は、スライドショウや拡大・縮小等の演出方法として、選択可能な複数種類のスタイルを記憶しておくこととしてよい。これにより、ユーザは、写真等の画像データを入力し、スタイルを選択することにより、多様なカラオケコンテンツを作成することができる。
【００４３】
また、カラオケコンテンツ作成装置１０は、カラオケコンテンツの前景として合成して演出効果を付加するためのパーツ画像を記憶、あるいはネットワークを介してダウンロードしてもよい。
【００４４】
ストレージサーバ３０は、カラオケコンテンツ作成装置１０により作成されたコンテンツデータを受信し、記憶する。記憶されたコンテンツデータは、要求に応じてカラオケ端末装置４０に送信される。したがって、カラオケボックスに設置されたカラオケ端末装置４０は、ユーザからの入力に応じてコンテンツデータを要求し、受信したコンテンツデータを再生することにより、既製のカラオケコンテンツとは異なる、ユーザ自作のカラオケコンテンツを公開することができる。
【００４５】
図２は、本発明の実施形態に係るカラオケシステム１ｂの構成を示す図である。カラオケシステム１ａに加えて、インターネットを介して接続されたカラオケ端末装置４０を備える。
【００４６】
カラオケ端末装置４０は、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、携帯電話機等のインターネット端末であり、ストレージサーバ３０へのアクセス、およびコンテンツデータの再生が可能である。
【００４７】
このような構成により、インターネットユーザは、ストレージサーバ３０において公開されたカラオケのコンテンツデータを、特定の施設でなくてもダウンロードし、再生することができる。したがって、カラオケシステム１ｂは、画像データのみならず、カラオケの楽曲データと合成されたカラオケコンテンツを、不特定の範囲へ広く公開することができ、ユーザが自らの作品を他者へ公開したいという欲求を満たし、更には、自作のコンテンツにより、様々な場所でカラオケを楽しむことができる。
【００４８】
［装置のハードウェア構成］
図３は、本発明の実施形態に係るカラオケシステム１（１ａまたは１ｂ）を構成する各コンピュータ（カラオケコンテンツ作成装置１０、楽曲配信サーバ２０、ストレージサーバ３０、またはカラオケ端末装置４０）の構成を示すブロック図である。
【００４９】
制御部１１０、記憶部１２０、入力部１３０、表示部１４０、通信部１５０は、バス１６０を介して接続されている。
【００５０】
制御部１１０は、情報の演算、処理を行う情報演算処理装置（ＣＰＵ）であり、当該コンピュータ全体の制御を行う。制御部１１０は、記憶部１２０に記憶された各種プログラムを適宜読み出して実行することにより、上述のハードウェアと協働し、本発明に係る各種機能を実現している。
【００５１】
記憶部１２０は、制御部１１０と組み合わせてプログラムの実行に使用するローカルメモリ、バルクメモリ、および当該バルクメモリの検索を効率的に行うために使用するキャッシュメモリを含んでよい。記憶部１２０を実現するコンピュータ可読媒体としては、電気的、磁気的、光学的、電磁的に実現するものを含んでよい。より具体的には、半導体記憶装置、ランダム・アクセス・メモリ（ＲＡＭ）、リードオンリー・メモリ（ＲＯＭ）、磁気ディスク、光ディスク等が含まれる。
【００５２】
入力部１３０は、ユーザによる入力の受け付けを行うものであり、キーボード、ポインティング・デバイス等を含んでよい。入力部１３０は、直接または介在Ｉ／Ｏコントローラを介して当該コンピュータと接続することができる。
【００５３】
表示部１４０は、ユーザにデータの入力を受け付ける画面を表示したり、当該コンピュータによる演算処理結果の画面を表示したりするものであり、ブラウン管表示装置（ＣＲＴ）、液晶表示装置（ＬＣＤ）等のディスプレイ装置を含む。表示部１４０は、直接または介在Ｉ／Ｏコントローラを介して当該コンピュータと接続することができる。
【００５４】
通信部１５０は、当該コンピュータを専用ネットワークまたは公共ネットワークを介して別の演算処理システムまたは記憶装置と接続できるようにするためのネットワーク・アダプタである。カラオケシステム１においては、各コンピュータが、通信部１５０を介して、各種データの送受信を行う。
【００５５】
ここで、カラオケコンテンツ作成装置１０は専用の装置であってよいが、これには限られない。例えば、インターネットに接続可能なＰＣ、あるいは携帯電話機やＰＤＡ等の端末装置であってもよく、本発明の機能を実行するプログラムをインストールすることにより実現できる。これにより、場所を限定せず、簡便にカラオケコンテンツを作成することができ、利便性の高い装置およびシステムとなる。
【００５６】
また、カラオケコンテンツ作成装置１０は、Ｗｅｂアプリケーション等、所定のサーバに配置されたプログラムにより実現することもできる。この場合、ユーザは、携帯電話機やＰＤＡ等の端末装置に特別なプログラムをインストールすることなく、当該サーバにアクセスすることにより、本発明の機能を実現することができる。
【００５７】
［装置の機能構成］
図４は、本発明の実施形態に係るカラオケシステム１を構成する各コンピュータ（カラオケコンテンツ作成装置１０、楽曲配信サーバ２０、ストレージサーバ３０、またはカラオケ端末装置４０）における制御部１１０の機能を示すブロック図である。
【００５８】
カラオケコンテンツ作成装置１０は、画像入力部１１、画像加工部１２、楽曲選択部１３、合成部１４、送信部１５、メディア作成部１６、および公開ユーザ指定部１７を備える。
【００５９】
画像入力部１１は、ユーザから静止画または動画の画像データの入力を受け付ける。具体的には、例えば、ＣＤやメモリカード等の記録メディアを受け付け、カラオケコンテンツに使用する画像データをユーザに選択させる。
【００６０】
画像加工部１２は、ユーザからの要求に応じて、画像データの加工を行う。具体的には、例えば、画像の拡大や縮小、あるいは移動を組み合わせて、複数の静止画をスライドショウとして構成したり、色調を調整したりする。
【００６１】
このような加工方法は、複数種類のスタイル情報として、予め記憶しておくことが好ましい。記憶されたスタイル情報の中からユーザに選択させることにより、簡便にカラオケコンテンツの背景としての画像データを生成することができる。
【００６２】
楽曲選択部１３は、カラオケコンテンツを作成する楽曲を選択する。具体的には、例えば、楽曲配信サーバ２０にて管理される楽曲データを一覧表示し、この中からユーザに選択させる。そして、楽曲選択部１３は、選択された楽曲データを楽曲配信サーバ２０からダウンロードする。
【００６３】
ここで、楽曲データは、カラオケの音源としての伴奏データと、歌詞の色変わり映像としての歌詞データとを含み、ここに背景画像を合成することによりカラオケコンテンツとなる。
【００６４】
なお、楽曲データは、楽曲配信サーバ２０にて管理されることとしたが、これには限られず、カラオケコンテンツ作成装置１０が記憶していてもよい。
【００６５】
合成部１４は、画像入力部１１により入力され、あるいは画像加工部１２により加工された画像データと、楽曲選択部１３により選択された楽曲データを合成し、カラオケのコンテンツデータを生成する。これにより、ユーザが用意した画像データを背景としたカラオケコンテンツが作成される。
【００６６】
送信部１５は、合成部１４により生成されたコンテンツデータを保存して他者へ公開するため、ストレージサーバ３０へ送信する。
【００６７】
メディア作成部１６は、合成部１４により生成されたコンテンツデータを光ディスク等の所定の記録メディアに記録する。これにより、ユーザは、ストレージサーバ３０からダウンロードする必要がないため、ネットワークに接続できない再生装置においても、作成したカラオケコンテンツを楽しむことができる。
【００６８】
公開ユーザ指定部１７は、送信部１５によりストレージサーバ３０へ送信されたコンテンツデータにアクセス可能な公開ユーザを指定する。具体的には、作成したユーザのみアクセス可能とするか、アクセス可能なユーザのグループを指定するか、ユーザの制限なく公開するかをユーザに選択させ、設定情報をストレージサーバ３０に送信し、記憶させる。
【００６９】
楽曲配信サーバ２０は、楽曲記憶部２１、楽曲送信部２２、および課金処理部２３を備える。
【００７０】
楽曲記憶部２１は、カラオケコンテンツ作成装置１０の楽曲選択部１３により選択可能な楽曲データを記憶する。楽曲配信サーバ２０の管理者は、適宜、楽曲記憶部２１にて楽曲データを追加、更新、削除することにより、選択可能な楽曲データを変更することができる。そして、楽曲記憶部２１にて楽曲データを一括管理することにより、複数のカラオケコンテンツ作成装置１０において、同等のサービスを提供することができる。
【００７１】
楽曲送信部２２は、楽曲選択部１３により選択された楽曲データを、楽曲記憶部２１から読み出し、カラオケコンテンツ作成装置１０に送信する。
【００７２】
課金処理部２３は、楽曲データを送信することに応じて、ユーザ対して課金を行う。具体的には、楽曲データの選択に続いて、この楽曲に対する対価の支払いを求める請求データを生成する。なお、決済の方法については限定せず、支払いが完了したことに応じて楽曲データを送信（ダウンロード）してもよいし、後払いとしてもよい。
【００７３】
ストレージサーバ３０は、コンテンツ記憶部３１、識別データ通知部３２、認証部３３、およびコンテンツ送信部３４を備える。
【００７４】
コンテンツ記憶部３１は、カラオケコンテンツ作成装置１０の送信部１５により送信されたカラオケのコンテンツデータを記憶する。このとき、コンテンツ記憶部３１は、当該コンテンツデータを識別するデータを付与して管理する。
【００７５】
図５は、コンテンツデータを管理するためのコンテンツテーブルを示す図である。ここでは、コンテンツデータを識別するＩＤに対応付けて、コンテンツデータと、登録ユーザとが記憶される。更に、このコンテンツデータを公開する範囲を指定するための公開ユーザグループが関連付けられている。
【００７６】
図６は、コンテンツテーブル（図５）のユーザグループを定義するためのユーザグループテーブルを示す図である。ここでは、１つのユーザグループに対して、所属するユーザとして複数を記憶することができる。
【００７７】
例えば、図５において、ＩＤが「１２３４５」のコンテンツデータは、ユーザグループ「０１２３４」にて定義される複数のユーザ（「Ａ１２３４５」、「Ａ２３４５６」等）に対して公開される。また、ＩＤが「２３４５６」のコンテンツデータは、全ユーザに対して公開されるものとして、ユーザグループ「ＡＬＬ」が設定される。更に、ＩＤが「３４５６７」のコンテンツは、ユーザグループが設定されておらず、登録ユーザのみがアクセス可能であることを示す。
【００７８】
識別データ通知部３２は、コンテンツ記憶部３１により記憶されたコンテンツデータを識別するデータとして、コンテンツテーブル（図５）のＩＤを、所定の通知先へ通知する。具体的には、登録ユーザの電子メールアドレスに対して通知することとしてよく、予めユーザ登録を行う、あるいはカラオケコンテンツ作成装置１０において、コンテンツデータの作成時にメールアドレスの登録を行うこととする。
【００７９】
なお、識別データの通知方法はこれには限られず、例えば、カラオケコンテンツ作成装置１０において、ＩＤまたはＩＤの掲示場所（ＵＲＬや、ＵＲＬを示す２次元バーコード等）を表示してもよい。
【００８０】
認証部３３は、カラオケ端末装置４０からのコンテンツデータの要求に応じて、ユーザの認証を行う。具体的には、認証部３３は、コンテンツテーブル（図５）およびユーザグループテーブル（図６）に基づいて、要求を行ったユーザが、コンテンツデータの登録ユーザであるか、またはコンテンツデータに対して設定された公開ユーザに含まれているか否かを判定する。これにより、認証部３３は、要求されたコンテンツデータをカラオケ端末装置に送信するか否かを決定し、登録ユーザから許可されていないユーザからのアクセスを抑制する。
【００８１】
なお、認証部３３は、登録されたユーザグループテーブルに基づいてコンテンツデータを送信するか否かを決定したが、これには限られない。例えば、識別データ通知部３２により、コンテンツデータを識別するＩＤと共にパスワードを通知してもよい。このとき、コンテンツ記憶部３１は、図７に示すコンテンツ認証テーブルにより、ＩＤに対応付けて、このパスワードを記憶しておく。
【００８２】
そして、認証部３３は、カラオケ端末装置４０から、ＩＤと共にパスワードを受信したことに応じて、このパスワードがコンテンツ認証テーブルに記憶されたものと一致するか否かを判定する。認証部３３は、この判定により、パスワードが一致する場合に、対応するコンテンツデータの配信を許可する。
【００８３】
これにより、ストレージサーバ３０がユーザグループを管理することなく、ユーザは、互いにパスワードを知らせ合うことで、簡便に他者へコンテンツを公開することができる。
【００８４】
なお、パスワードは、コンテンツ登録時に指定させる公開ユーザに対して、識別データ通知部３２により通知することとしてもよい。これにより、速やかにパスワードをグループ内に知らせることができる。
【００８５】
コンテンツ送信部３４は、カラオケ端末装置４０から要求され、認証部３３により送信すると決定されたコンテンツデータを、要求のあったカラオケ端末装置４０へ送信する。
【００８６】
カラオケ端末装置４０は、コンテンツ要求部４１およびコンテンツ再生部４２を備える。
【００８７】
コンテンツ要求部４１は、コンテンツデータを識別するデータの入力を受け付けたことに応じて、ストレージサーバ３０に対して対応するコンテンツデータのダウンロードを要求する。具体的には、カラオケ端末装置４０のユーザは、ストレージサーバ３０の識別データ通知部３２により通知されたコンテンツデータのＩＤを入力することにより、ストレージサーバ３０に記憶されたコンテンツデータを要求する。
【００８８】
コンテンツ再生部４２は、ストレージサーバ３０のコンテンツ送信部３４により送信されたコンテンツデータを受信して再生する。これにより、カラオケ端末装置４０は、カラオケコンテンツ作成装置１０により作成されたカラオケのコンテンツデータを再生することができる。
【００８９】
［処理フロー］
図８は、本発明の実施形態に係るカラオケコンテンツ作成装置１０の制御部１１０による処理の流れを示す図である。
【００９０】
ステップＳ１では、制御部１１０は、ユーザにより楽曲データが選択されたか否かを判定する。この判定がＹＥＳの場合はステップＳ２に移り、判定がＮＯの場合はステップＳ１を繰り返し、ユーザからの楽曲選択を受け付ける。
【００９１】
ステップＳ２では、制御部１１０は、ステップＳ１にて選択された楽曲データに対する対価の支払いが完了したか否かを判定する。具体的には、クレジットカードによる支払いや、現金の投入による支払いとする。なお、時間制限を設けた場合には、支払いが行われないまま所定時間が経過するとＮＯの判定となる。この判定がＹＥＳの場合はステップＳ３に移り、判定がＮＯの場合は、ステップＳ１に戻る。
【００９２】
なお、支払いの完了を待たずに楽曲データのダウンロードを行うこととしてもよく、この場合、ステップＳ２の処理は行われず、楽曲配信サーバ２０による請求データの生成を指示する。
【００９３】
ステップＳ３では、制御部１１０は、楽曲配信サーバ２０から、ステップＳ１にて選択された楽曲データをダウンロードする。
【００９４】
ステップＳ４では、制御部１１０は、ユーザから、カラオケコンテンツの背景とするための画像データの入力を受け付ける。
【００９５】
ステップＳ５では、制御部１１０は、ステップＳ４にて入力された画像データを背景として演出するためのスタイルが選択されたか否かを判定する。この判定がＹＥＳの場合はステップＳ６に移り、判定がＮＯの場合はステップＳ７に移る。
【００９６】
ステップＳ６では、制御部１１０は、ステップＳ５にて選択されたスタイル情報に基づいて、ステップＳ４にて入力された画像データを加工する。具体的には、画像の拡大、縮小、移動や、色調の変更等を施し、スライドショウとして加工する。
【００９７】
ステップＳ７では、制御部１１０は、ステップＳ３にてダウンロードした楽曲データと、ステップＳ４にて入力された画像データまたはステップＳ６にて加工された画像データと、を合成し、カラオケ用のコンテンツデータを生成する。
【００９８】
なお、ステップＳ５においてスタイルが選択されなかった場合には、ステップＳ４にて入力された画像データを用いて合成処理を行うこととしたが、これには限られない。例えば、入力された画像データに対して、スライドショウを作成する等、デフォルトの加工を施すこととしてもよい。
【００９９】
ステップＳ８では、制御部１１０は、ステップＳ７にて生成したコンテンツデータを、ストレージサーバ３０にアップロードする。
【０１００】
図９は、本発明の実施形態に係るカラオケシステム１における処理および各種データの流れを示す図である。
【０１０１】
カラオケコンテンツ作成装置１０は、ユーザから画像データの入力を受け付け（ステップＳ１１）、カラオケコンテンツを作成する楽曲データを楽曲配信サーバ２０へ要求する（ステップＳ１２）。
【０１０２】
楽曲配信サーバ２０により、要求された楽曲データが送信されると（ステップＳ１３）、カラオケコンテンツ作成装置１０は、画像データと楽曲データとを合成し、コンテンツデータを生成する（ステップＳ１４）。
【０１０３】
カラオケコンテンツ作成装置１０により生成されたコンテンツデータは、ストレージサーバ３０に送信され（ステップＳ１５）、ストレージサーバ３０にて記憶される（ステップＳ１６）。
【０１０４】
その後、カラオケ端末装置４０からコンテンツデータの要求があると（ステップＳ１７）、ストレージサーバ３０は、送信が許諾された公開ユーザであるか否かの認証を行う（ステップＳ１８）。
【０１０５】
そして、送信が許諾されている場合には、ストレージサーバ３０は、コンテンツデータをカラオケ端末装置へ送信し（ステップＳ１９）、カラオケ端末装置４０によりコンテンツデータが再生される（ステップＳ２０）。
【０１０６】
以上、カラオケシステム１として、カラオケコンテンツ作成装置１０、楽曲配信サーバ２０、ストレージサーバ３０、およびカラオケ端末装置４０による構成を示したが、これには限られない。各コンピュータが備える機能（図４参照）は、適宜、新たなコンピュータに分散してもよい。また、楽曲配信サーバ２０とストレージサーバ３０とを同一サーバとして構成する等、上述の構成において分散された機能を統合してもよい。
【０１０７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１０８】
【図１】本発明の実施形態に係るカラオケシステム１ａの構成を示す図である。
【図２】本発明の実施形態に係るカラオケシステム１ｂの構成を示す図である。
【図３】本発明の実施形態に係るカラオケシステム１を構成する各コンピュータの構成を示すブロック図である。
【図４】本発明の実施形態に係るカラオケシステム１を構成する各コンピュータにおける制御部１１０の機能を示すブロック図である。
【図５】本発明の実施形態に係るコンテンツテーブルを示す図である。
【図６】本発明の実施形態に係るユーザグループテーブルを示す図である。
【図７】本発明の実施形態に係るコンテンツ認証テーブルを示す図である。
【図８】本発明の実施形態に係るカラオケコンテンツ作成装置１０の制御部１１０による処理の流れを示す図である。
【図９】本発明の実施形態に係るカラオケシステム１における処理および各種データの流れを示す図である。
【符号の説明】
【０１０９】
１、１ａ、１ｂ  カラオケシステム
１０  カラオケコンテンツ作成装置
１１  画像入力部（画像入力手段）
１２  画像加工部（演出指定手段、画像加工手段）
１３  楽曲選択部（選択手段、受信手段）
１４  合成部（合成手段）
１５  送信部（送信手段）
１６  メディア作成部（記録手段）
１７  公開ユーザ指定部（公開ユーザ指定手段）
２０  楽曲配信サーバ
２１  楽曲記憶部
２２  楽曲送信部
２３  課金処理部
３０  ストレージサーバ
３１  コンテンツ記憶部（記憶手段）
３２  識別データ通知部（通知手段）
３３  認証部（認証手段）
３４  コンテンツ送信部（配信手段）
４０  カラオケ端末装置
４１  コンテンツ要求部（要求手段）
４２  コンテンツ再生部
【図１】
2009216876.tif 000003
【図２】
2009216876.tif 000004
【図３】
2009216876.tif 000005
【図４】
2009216876.tif 000006
【図５】
2009216876.tif 000007
【図６】
2009216876.tif 000008
【図７】
2009216876.tif 000009
【図８】
2009216876.tif 000010
【図９】
2009216876.tif 000011